(57)【要約】【課題】トイレブース１に設けられる壁パネルであるパネル体３を、面状部Ｙとのあいだに隙間Ｘを有する状態で螺子体１７を介して壁部Ｗに支持するに際し、捻じ込み過ぎがないようにする。【解決手段】パネル体３の壁部Ｗ側の第一フレーム材１０を構成する第二骨材１４に、皿螺子からなる調整螺子１８を、螺子頭１８ａをレール材１６の溝底片部１６ａに突き当てたときパネル体３が垂直姿勢になるよう調整して設けることで、螺子体１７を壁部Ｗに螺入してパネル体３を支持する際に、螺子頭部１８ａがレール材溝底片部１６ａに突き当たることで捻じ込み過ぎを防止するようにする。【選択図】図５
2020066942.tif 000002
【特許請求の範囲】
【請求項１】
躯体側の面状部に沿う状態で配される長尺材を、螺子体を介して躯体側に支持するにあたり、該長尺材に螺入せしめた少なくとも二つ以上の調整螺子が、該調整螺子の端縁が前記面状部側に突き当てられることで、長尺材と面状部とのあいだに隙間を有する状態で長尺材が予め設定される支持姿勢になるよう螺入調整されていることを特徴とする長尺材の躯体支持構造。
【請求項２】
長尺材は上下方向に長いパネル体であって、該パネル体は、左右に第一フレーム材と第二フレーム材とを備え、第二フレーム材を貫通して第一フレーム材に至った螺子体を躯体側に螺入することでパネル体の躯体側への支持がなされるものであり、調整螺子は、第一フレーム材に螺入され、該調整螺子の端縁を前記面状部側に突き当てることで垂直状の支持姿勢になるよう螺入調整されていることを特徴とする請求項１記載の長尺材の躯体支持構造。
【請求項３】
調整螺子は、パネル体が支持される躯体側から第一フレーム材に螺入される皿螺子であり、調整螺子の端縁となる螺子頭を前記面状部側に突き当てることでパネル体の垂直姿勢の調整がなされることを特徴とする請求項２記載の長尺材の躯体支持構造。
【請求項４】
調整螺子は、第二フレーム材を貫通したものが第一フレーム材に螺入されるものであり、調整螺子の端縁となる螺子部先端を前記面状部側に突き当てることでパネル体の垂直姿勢の調整がなされることを特徴とする請求項２記載の長尺材の躯体支持構造。
【請求項５】
面状部にはパネル体側が開口した凵字形のレール材が設けられ、第一フレーム材は、面状部側が開口した凹溝状部をし、該凹溝状部に、前記レール材に嵌合してパネル体の前後方向の振れ止めをする振れ止め材が設けられたものであり、調整螺子は、第一フレーム材、振れ止め材に螺入し、端縁がレール材の溝底片部を介して面状部側に突き当てられることを特徴とする請求項２乃至４の何れか１記載の長尺材の躯体支持構造。
【発明の詳細な説明】
【技術分野】
【０００１】
本発明は、例えばトイレブースに設けられる壁側パネル体のような長尺材を躯体側に取付ける場合の長尺材の躯体支持構造の技術分野に関するものである。
【背景技術】
【０００２】
一般に、トイレブースを例として説明したときに、トイレの出入り口に戸体を建て付ける場合、躯体側構造物である壁面や柱面等の面状部に、戸体の戸先側又は戸尻側の戸枠（縦枠）となるようパネル体や枠材等の長尺材を取付けることがある。
このような場合、長尺材は、戸体の開閉に支障を来さないよう面状部に対して予め設定される姿勢である垂直姿勢（鉛直姿勢）に設ける必要がある。ところで長尺材は、前記面状部に直接取付けるものや、上下両端縁部を天井側、床側に取付けるもの等があるが、このような長尺材の中には、前後方向（トイレブースである場合には出入り方向）に開閉揺動する開き戸方式の戸体の戸尻側端縁部を開閉自在に支持する（取付ける、蝶着する）ものがある。この場合、長尺材には、戸体の荷重（重量）が出入り口の左右方向内方に向けて働くことになり、そのため長尺材は、左右方向内側に倒れ込まないよう強固に躯体側に支持することが要求される。そこでこのような長尺材については、該長尺材の中間部位から面状部に螺入した螺子体を介して支持する構成にし、これにより長尺材を前記要求される強度を備えたものにすることが提唱されている。
その一方で、前記面状部は、見た目では判断つかないことが多いが垂直面でなかったり、平面（平滑）でない仕上がり状態で施工されることがあり、このような面状部に長尺材を突き当てる状態でそのまま支持すると、該長尺材は、面状部に沿う状態での支持になって予め要求される（設計上要求される）垂直姿勢での支持ができず、戸体の円滑な開閉に支障を来すことがある。
そこでこのような場合を考慮して、長尺材の中間部位を螺子体を介して躯体側に支持するさいに、長尺材と前記面状部にのあいだに隙間（チリ、間隙）を存する状態で螺子体を介して支持せしめる構成にすることが試みられるが、このような施工をするとき、長尺材と面状部とのあいだに前記隙間があるため、螺子体の締め込み過ぎが発生し、これにより、長尺材を垂直姿勢（垂直状）になるよう躯体側に支持することに支障を来してしまうことがある。
これに対応するため、長尺材を面状部に支持するにあたり、長尺材を第一、第二部材からなる分割型とし、面状部に取付けられる（固定される）第一部材に対して上下方向に隙間を存して螺入した複数（少なくとも二本）の螺子体を、螺子頭同士の位置を結ぶ直線が垂直状となるよう調整し、この調整した状態で、第二部材を螺子頭に突き当てる状態で第一部材に固着する構成にし、これにより長尺材を躯体側面状部の仕上がり状態に影響されることなく垂直状に取付けることができるようにしたものが提唱されている（特許文献１参照。）。
【先行技術文献】
【特許文献】
【０００３】
【特許文献１】特開２００７−９２４２６号公報
【発明の概要】
【発明が解決しようとする課題】
【０００４】
ところで前記提唱された従来のものにより、面状部の仕上がりに影響されず、長尺物を垂直姿勢に取付け施工することが容易にできることにはなったが、長尺材が第一、第二部材からなる分割型であったため、部品点数が多くなってしまうだけでなく、第二部材は、第一部材を介して躯体側に固定されるものであるため、第一部材を躯体側に固定する作業が必要になって作業性が劣るうえ、第一部材の躯体側への固定と、第二部材の第一部材への固定との二種類の固定に対する強度保証（製品保証）を、これら部材の加工面と施工面との両者で管理する必要があるため、管理上の煩雑さが重なることになるという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、躯体側の面状部に沿う状態で配される長尺材を、螺子体を介して躯体側に支持するにあたり、該長尺材に螺入せしめた少なくとも二つ以上の調整螺子が、該調整螺子の端縁が前記面状部側に突き当てられることで、長尺材と面状部とのあいだに隙間を有する状態で長尺材が予め設定される支持姿勢になるよう螺入調整されていることを特徴とする長尺材の躯体支持構造である。
請求項２の発明は、長尺材は上下方向に長いパネル体であって、該パネル体は、左右に第一フレーム材と第二フレーム材とを備え、第二フレーム材を貫通して第一フレーム材に至った螺子体を躯体側に螺入することでパネル体の躯体側への支持がなされるものであり、調整螺子は、第一フレーム材に螺入され、該調整螺子の端縁を前記面状部側に突き当てることで垂直状の支持姿勢になるよう螺入調整されていることを特徴とする請求項１記載の長尺材の躯体支持構造である。
請求項３の発明は、調整螺子は、パネル体が支持される躯体側から第一フレーム材に螺入される皿螺子であり、調整螺子の端縁となる螺子頭を前記面状部側に突き当てることでパネル体の垂直姿勢の調整がなされることを特徴とする請求項２記載の長尺材の躯体支持構造である。
請求項４の発明は、調整螺子は、第二フレーム材を貫通したものが第一フレーム材に螺入されるものであり、調整螺子の端縁となる螺子部先端を前記面状部側に突き当てることでパネル体の垂直姿勢の調整がなされることを特徴とする請求項２記載の長尺材の躯体支持構造である。
請求項５の発明は、面状部にはパネル体側が開口した凵字形のレール材が設けられ、第一フレーム材は、面状部側が開口した凹溝状部をし、該凹溝状部に、前記レール材に嵌合してパネル体の前後方向の振れ止めをする振れ止め材が設けられたものであり、調整螺子は、第一フレーム材、振れ止め材に螺入し、端縁がレール材の溝底片部を介して面状部側に突き当てられることを特徴とする請求項２乃至４の何れか１記載の長尺材の躯体支持構造である。
【発明の効果】
【０００６】
請求項１の発明とすることにより、長尺物を、該長尺物と面状部とのあいだに隙間を有する状態で螺子体を介して躯体側に支持するに際し、長尺物に螺入される調整螺子の端縁を前記面状部側に突き当てることで、長尺材は予め設定される支持姿勢になる結果、長尺物を螺子体を介して躯体側に支持する際の螺子込み過ぎの防止を、長尺物を二分割することなく行うことができることになって、部品点数の低減が図れると共に、施工管理も簡略される。
請求項２の発明とすることにより、長尺物が、左右に第一、第二フレーム材を有した上下方向に長いパネル体である場合に、パネル体は、第二フレーム材を貫通して第一フレーム材に至った螺子体を用いて躯体側への支持がなされることになる一方で、調整螺子は、第一フレーム材に螺入調整すればよいことになり、この結果、調整螺子の螺入作業が簡略化され作業性が向上する。
請求項３の発明とすることにより、調整螺子は、躯体側から螺入した皿螺子であって、平面状の螺子頭が面状部側に突き当てられることになって、螺子頭の突き当て状態が安定化し、精度の高いパネル体の面状部側への支持ができることになる。
請求項４の発明とすることにより、調整螺子は、第二フレームを貫通したものになるため、パネル体を面状部側に沿うようセットした状態でも螺入位置の調整ができることになって、施工の自由度が向上する。
請求項５の発明とすることにより、パネル体の前後方向の振れ止めをするため躯体側に設けられたレール材の溝底片部に調整螺子の端縁を突き当てることでよいことになって、面状部に凹凸があったとしても、該凹凸に影響されることなく調整螺子の螺入調整ができ、作業性が向上する。
【図面の簡単な説明】
【０００７】
【図１】トイレブースの正面図である。
【図２】トイレブースの縦断正面図である。
【図３】トイレブースの戸体部位の水平断面図である。
【図４】トイレブースの要部の縦断正面拡大図である。
【図５】トイレブースの要部の更なる部分縦断正面拡大図である。
【図６】（Ａ）（Ｂ）（Ｃ）はパネル体の螺子体螺入部位を示す水平断面図、振れ止め材、レール材を螺子固定した部位を示すパネル体の水平断面図、パネル体の調整螺子螺入部位を示す水平断面図である。
【図７】傾斜した面状部にパネル体を支持した状態の戸体部位の縦断正面図である。
【図８】第二の実施の形態を示すパネル体の調整螺子螺入部位の縦断正面拡大図である。
【発明を実施するための形態】
【０００８】
以下、本発明の実施の形態について、図面に基づいて説明する。図面において、１はトイレブースであって、該トイレブース１は、左右に壁部Ｗを有した空間に一つが建て付けられたものであるが、本発明は、複数のトイレブースが左右に連装されたものであっても実施することができる。そして前記トイレブース１は、左右方向一方側（図面では左側）の壁部Ｗの表面である平面状の面状部と、左右方向他方側の壁部Ｗの同じく表面である面状部Ｙにそれぞれ長尺材であるパネル体２、３が対向するよう配設される。そしてこれらパネル体２、３の上下両端部は、天井面Ｈ、床面Ｆにそれぞれ取付けられたレール部材（支持部材）４、５に支持される状態で取付けられているが、これらの取付け構造については、何れも従来通りであるため、その詳細については省略する。
【０００９】
そして本実施の形態では、前記両パネル体２、３の左右方向対向間が開口になってトイレブース１の出入り口となり、該出入り口の開閉をするため開き戸方式の戸体６が設けられるが、該戸体６は、前記他方側のパネル体３に設けた上下の支軸７、７ａを揺動軸としてトイレブース１の室内側に向けて前後方向に開閉揺動する構成になっており、このように構成されることにより、一方側のパネル体２は、前記上下両端部の支持によるもので強度的には満足するため、本発明は実施されていないが、他方側のパネル体３については、戸体６の荷重（重量）が働くため本発明が実施されたものになっており、以下、この構成について具体的に説明する。因みに、一方側のパネル体２についても、必要に応じて本発明を実施してもよいことは勿論である。尚、図中、８は戸体６側に設けられる施錠用のラッチ、８ａは一方のパネル体２側に設けられるラッチ受けである。
【００１０】
前記パネル体３は、出入り口側（左右方向内側、左右方向一方側）に配される内側の第二フレーム材９と、その反対側（左右方向外側、左右方向他方側）に設けられる第一フレーム材１０と、表裏面板１１、１２とを備えて構成されているが、前記第一フレーム材１０は、何れもコ字形をした第一、第二の骨材（型材）１３、１４が、何れも開口を左右方向外側に向ける状態で左右方向に積層状（重合状）に配設されたものとして構成されている。
尚、第二フレーム材９は、左右方向外方が開口したコ字形をしたもので構成されており、溝底片部９ａの左右方向内側面には、前記支軸７、７ａを取付けるため設けられるＬ字形をしたブラケット７ｂの取付け部位を補強するための補強金具９ｂが設けられている。
【００１１】
また、前記左右方向外側の第二骨材１４には、コ字形をした振れ止め材（振れ止めレール）１５が遊嵌状に配設されているが、該振れ止め材１５は、第二骨材１４の溝底片部（跨部）１４ａの溝内面（溝底面）に振れ止め材１５の溝底片部（跨部）１５ａの溝外面を突き当てた状態で、振れ止め材１５の溝底片部１５ａ側から螺入したビス１５ｂを介して第二骨材１４に固着されている。尚、本実施の形態の振れ止め材１５は、前後脚片部１５ｃの先端縁が第二骨材１４の前後脚片部１４ｂの先端縁と同じ位置になるよう長さ設定されているが、これら脚片部１４ｂ、１５ｃの長さについては、施工上等の点で支障なければ長短異ならしめたものとすることができる。
【００１２】
１６はコ字形をしたレール材であって、該レール材１６は、溝底片部（跨部）１６ａが壁部Ｗの面状部Ｙに突き当てられた状態でビス１６ｂを介して壁部Ｗに固着されることになるが、該固着されたレール材１６の前後両脚片部１６ｃ間に、前記振れ止め材１５の前後両脚片部１５ｃを内嵌することで、パネル体３の前後方向の振れ止めがなされる構成になっている。
【００１３】
そしてパネル体３は、前述したように上下両端縁部が天井面Ｈ、床面Ｆ側に取付け支持された状態で、本実施の形態では、第一骨材１３の溝底片部１３ａから挿入した上下二本の螺子体１７を、第二骨材１４、振れ止め材１５、レール材１６の溝底片部１４ａ、１５ａ、１６ａを貫通する状態で壁部Ｗに螺入せしめることにより、該壁部Ｗ側に支持されるようになっており、この支持状態では、後述するように壁部Ｗの表面である面状部Ｙの仕上がりが垂直面状や平面状でなかったりした場合の対応をすべく、第二骨材１４の前後脚片部１４ｂの先端縁と面状部Ｙとのあいだに隙間（チリ）Ｘを有するよう寸法設定されている。尚、第二フレーム材９の溝底片部９ａには、螺子体１７を、螺子頭１７ａを含めて遊嵌状に貫通するため大径の貫通孔９ｃが設けられている。また、第一、第二骨材１３、１４、振れ止め材１５、レール材１６の溝底片部１３ａ、１４ａ、１５ａ、１６ａには螺子体１７の螺子部１７ｂが貫通するための貫通孔１３ｂ、１４ｃ、１５ｄ、１６ｄが設けられている。尚、本実施の形態では、表面板１１の見込み面が、前記貫通孔９ｃを覆っているため、表面板１１についても対応する位置に、前記同様大径の貫通孔１１ａが設けられている。
【００１４】
そして本実施の形態では、前記隙間Ｘがあることにより、パネル体３を螺子体１７を用いて壁部Ｗに支持する際に、螺子体１７を螺じ込み過ぎてしまうことを回避するため、上下方向に隙間を存する状態で三本の調整螺子１８を用いて次のような配慮がなされている。尚、調整螺子１８の数については、少なくとも二本以上の複数であれば特に限定されることはなく、パネル体３を支持すべく螺子体１７を螺入したときに、捻じ込み過ぎが回避されてパネル体３を垂直姿勢に支持できるものであればよい。
【００１５】
前記調整螺子１８は、本実施の形態では螺子頭１８ａの先端面が平面状になった所謂「皿螺子（皿ビス）」を用いているが、該調整螺子１８は、パネル体３の上下方向中間部に上下に隙間を存する状態で複数本（少なくとも二本）が設けられるものであって、具体的には、前記振れ止め材１５の開口側（躯体側）から該振れ止め部材１５、第二骨材１４の溝底片部１５ａ、１４ａに螺入するようにして設けられる設定になっている。
そしてこの場合に、調整螺子１８は、螺子頭１８ａが、パネル体３の左右方向外端縁、つまり本実施の形態では、第一フレーム材（第二骨材１４）１０の左右方向外端縁（正確には表裏面板１１、１２の左右方向外端縁）から左右方向外方に向けて突出するよう設けられるが、この場合の突出量は、螺子頭１８ａを躯体側の面状部Ｙ側であるレール材１６の溝底片部１６ａに突き当てたとき、面状部Ｙの仕上がりに関係なく、前記隙間Ｘを存する状態でパネル体３が垂直方向を向くよう予め寸法設定されたものとなっている。
そして前述したように、パネル体３を壁部Ｗに螺子体１７を用いて躯体側に支持する場合、螺子体１７を螺入していくと、螺子頭１８ａが溝底片部１６ａに突き当った突っ張り状態になって螺子体１７のこれ以上の螺入が規制（制限）され、これによってパネル体３は、螺子体１７による捻じ込み過ぎがなく、予定される垂直姿勢となった状態での取付け支持ができるようになっている。
【００１６】
叙述の如く構成された本実施の形態において、トイレブース１の出入り口の左右両側に設けられる長尺材であるパネル体２、３のうち、戸体６が設けられる側のパネル体３は、螺子体１７を介して上下方向中間部が躯体側に支持されることになって補強され、戸体６の荷重を充分に受けられる強度を備えたものになっている。
【００１７】
この場合に前記パネル体３は、該パネル体３が支持される躯体側の面状部Ｙが平面状でなかったり垂直状でなかったりした場合に対応すべく、パネル体３と面状部Ｙとのあいだに隙間Ｘを有する状態で支持されることになるが、該パネル体３は、左右に第一、第二のフレーム材１０、９とを備え、出入り口側の第二フレーム材９を貫通して面状部Ｙ側の第一フレーム材１０に至った、具体的には第一骨材１３に至った螺子体１７を躯体側に螺入することで躯体側への支持がなされることになるが、この場合に調整螺子１８は、第一フレーム材１０に螺入され、調整螺子１８の躯体側端縁が前記面状部Ｙに突き当てられることで垂直姿勢になるよう螺入調整されている。この結果、パネル体３を螺子体１７を介して躯体側に支持するに際し、調整螺子１８の端縁が面状部Ｙ側に当接した状態が、これ以上のパネル体３の面状部側への偏倚が規制されたパネル体３の垂直状の支持姿勢になって、前記隙間Ｘが設けられたものでありながら、螺子体１７の捻じ込み過ぎを回避することができる。そして図７に示すように壁部Ｗの面状部Ｙが傾斜（図面では傾斜状態を極端にしたものを示している。）したものであっても、調整螺子１８の螺入量の調整をすることで、螺子体１７の捻じ込み過ぎを回避した状態でパネル体３の垂直姿勢での支持が簡単にできることになる。
しかもこのようにパネル体３の捻じ込みすぎ防止を行うにあたり、調整螺子１８が螺入する第一フレーム材１０自体は、従来のように二分割されることなく単品として用いることができるになって、部品点数の低減が図れると共に、施工管理も簡略されることになる。
【００１８】
しかもこの場合に、パネル体３は、具体的には左右に第一フレーム材１０と第二フレーム材９とを備え、第二フレーム材９を貫通して第一フレーム材１０の第一骨材１３に至った螺子体１７を躯体側に螺入することでパネル体３の躯体側への支持がなされることになる一方で、調整螺子１８は、第一フレーム材１０に螺入され、該調整螺子１８の端縁を前記面状部Ｙ側に突き当てることで垂直状の支持姿勢になるよう螺入調整されているため、調整螺子１８自体は、第一フレーム材１０に螺入調整すればよいことになって、調整螺子１８の螺入作業が簡単になって作業性が向上する。
【００１９】
そしてこのように調整螺子１８を第一フレーム材１０に螺入するにあたり、本実施の形態では、調整螺子１８を皿螺子とし、パネル体３が支持される躯体側から第一フレーム材１０、具体的には第二骨材１４に螺入されたものとしたものであるため、調整螺子１８の端縁となる平面状の螺子頭１８ａを、前記面状部Ｙ側に突き当てることでパネル体３の垂直姿勢の調整がなされることになる結果、螺子頭１８ａの突き当て状態が平面状のものになって安定化し、精度の高いパネル体３の面状部Ｙ側への支持ができることになる。
【００２０】
さらに本実施の形態のものは、面状部Ｙ側にはパネル体３側が開口した凵字形のレール材１６が設けられ、第一フレーム材１０の面状部Ｙ側に設けられる第二骨材１４が、躯体側が開口した凹溝状をし、その溝底片部１４ａに、前記レール材１６に嵌合してパネル体３の前後方向の振れ止めをする振れ止め材１５が設けられたものであるが、このようにした場合、螺子体１７は、螺子頭１７ａを含めて全体が第二フレーム材９の溝底片部９ａを貫通したものとなり、そして螺子頭１７ａが第一骨材溝底片部１３ａの貫通孔１３ｂに抜止め係止される状態で、螺子部１７ｂが第二骨材１４、振れ止め材１５、レール材１６の溝底片部１４ａ、１５ａ、１６ａに嵌入し、螺子部１７ｂの先端側部位が壁部Ｗに螺入することになる一方で、調整螺子１８の端縁（先端）である螺子頭１８ａがレール材１６の溝底片部１６ａに突き当たるようにパネル体３をセットしたものである場合、パネル体３は、調整螺子１８の端縁である螺子頭１８ａがレール材溝底片部１６ａを介する状態で面状部Ｙ側に突き当てられることになって、パネル体３の垂直姿勢の調整が平面状のレール材溝底片部１６ａによってなされ、この結果、面状部Ｙ側に凹凸があったとしても、該凹凸に影響されることなく調整螺子１８の螺入調整ができ、作業性が向上する。
因みに、調整螺子１８の第一フレーム材１０への螺入について、本実施の形態では、第二骨材１４、振れ止め材１５が一体化されているため、該第二骨材１４、振れ止め材１５の溝底片部１４ａ、１５ａに螺入するものとしたが、何れか一方、つまり振れ止め材１５については遊嵌し、第二骨材１４にのみ螺入するもの、あるいはその逆の螺入構造としても実施することができる。
【００２１】
尚、本発明は前記した実施の形態に限定されないものであることは勿論であって、長尺材としては、パネル体に限定されず枠材のようなものであってもよく、また長尺材の支持姿勢としては、垂直姿勢に限らず、水平姿勢、傾斜姿勢等、必要に応じて設定された姿勢のものに採用することができる。
また、長尺材が、前後方向の振れ止めを必要としないものにおいては、振れ止め材１５、レール材１６が設けられないものとして実施することができ、この場合、調整螺子は、第一フレーム材１０（本実施の形態では第二骨材１４）に螺入し、端部が面状部に直接突き当てられることになる。
【００２２】
さらに前記実施の形態では、調整螺子は、躯体側から第一フレーム材１０に螺入したものとして説明したが、図８に示す第二の実施の形態のように、躯体側からではなく、第二フレーム材９側から螺入したものとしても実施することができる。この場合に、第一フレーム材１０としては、該第一フレーム材１０を構成する第二骨材１４の溝底片部１４ａに螺子頭１８ａが離間する状態で調整螺子１８を螺入しており、このため、第二フレーム材９、第一骨材１３の溝底片部９ａ、１３ａに、調整螺子１８を遊嵌状に貫通するための貫通孔９ｄ、１３ｃが形成されたものとなっており、このように調整螺子１８を第二フレーム材９側から螺入したものでは、パネル体３を面状部Ｙ側に起立状に配した状態で、調整螺子１８の螺入位置の調整をすることで垂直状になるよう調整（セット）できることになって、作業性の向上が図れるという利点がある。
この場合に、表面板１１の見込み面に、調整螺子１８の螺入調整をするための貫通孔１１ｂが設けられたものになる。
因みに、前記第二の実施の形態の第一フレーム材１０のように第一、第二骨材１３、１４を用いて構成されているものでは、調整螺子１８を、第一骨材１３を貫通して第二骨材１４に螺入するようにしたものに限定されず、第一骨材１３に螺入し、螺子部１８ｂが第二骨材１４を貫通するようにしても実施できることはいうまでもない。
【産業上の利用可能性】
【００２３】
本発明は、トイレブースに設けられる壁側パネル体のような長尺材を躯体側に取付ける場合の長尺材の躯体支持構造として利用することができる。
【符号の説明】
【００２４】
１  トイレブース
３  パネル体
６  戸体
９  第二フレーム材
９ａ  溝底片部
９ｃ  貫通孔
１０  第一フレーム材
１３  第一骨材
１３ａ  溝底片部
１３ｂ  貫通孔
１４  第二骨材
１４ａ  溝底片部
１４ｃ  貫通孔
１５  振れ止め材
１５ａ  溝底片部
１６  レール材
１６ａ  溝底片部
１７  螺子体
１８  調整螺子
１８ａ  螺子頭
１８ｂ  螺子部
Ｘ  隙間
Ｙ  面状部
【図１】
2020066942.tif 000003
【図２】
2020066942.tif 000004
【図３】
2020066942.tif 000005
【図４】
2020066942.tif 000006
【図５】
2020066942.tif 000007
【図６】
2020066942.tif 000008
【図７】
2020066942.tif 000009
【図８】
2020066942.tif 000010